(57)【要約】【課題】この発明は、脚部の折畳乃至起立を確実且つ安定して行うことができる折畳式脚部構造に関する。【解決手段】天板に枢着した脚部をロック装置を介して折畳乃至起立姿勢に保持する折畳式脚部構造において、脚部が、回転軸として直線状に延びる横桁軸部と、該横桁軸部の両端に嵌合し固定された一対のＬ型継手部と、該一対のＬ型継手部にそれぞれ嵌合し固定された脚柱部とからなって、略コ字状に形成されており、前記横桁軸部を回転可能に軸受けする脚部取付バンドを、前記横桁の左右に離間して一対に設けると共に、各脚部取付バンドの外側に前記Ｌ型継手部の内側が接するように配置して、脚柱が左右にずれないように位置決めしたことを特徴とする。【選択図】　　図１
2004073326.tif 000002
【特許請求の範囲】
【請求項１】
天板に枢着した脚部をロック装置を介して折畳乃至起立姿勢に保持する折畳式脚部構造において、
脚部が、回転軸として直線状に延びる横桁軸部と、該横桁軸部の両端に嵌合し固定された一対のＬ型継手部と、該一対のＬ型継手部にそれぞれ嵌合し固定された脚柱部とからなって、略コ字状に形成されており、
前記横桁軸部を回転可能に軸受けする脚部取付バンドを、前記横桁の左右に離間して一対に設けると共に、各脚部取付バンドの外側に前記Ｌ型継手部の内側が接するように配置して、脚柱が左右にずれないように位置決めしてなることを特徴とする折畳式脚部構造。
【請求項２】
Ｌ型継手部が、脚柱部の上端を嵌合し固定する脚柱ソケット部と、該脚柱ソケット部と略直交すると共に横桁軸部の端部を嵌合し固定する横桁ソケット部とを有していることを特徴とする請求項１に記載の折畳式脚部構造。
【請求項３】
横桁ソケット部が、その断面形状を、脚部起立時の横の長さより縦の長さを長く設定すると共に、脚部起立時に横桁ソケット部の上端が天板裏面に衝合しうるように設定されており、
脚部が起立された際に、ロック装置による脚部のロックと共に、前記横桁ソケット部が天板裏面に衝合して起立姿勢の脚部を強固に保持してなることを特徴とする請求項１に記載の折畳式脚部構造。
【請求項４】
ロック装置が、脚柱間に掛け渡されて両端が枢着され、中央部分が天板裏面に固定されたロック装置に掛け止められてその長手方向に沿って摺動可能なステー支杆を有しており、脚部の起立時に横桁ソケット部の上端と、ステー支杆の中央部分と、その両端の枢着部分とが固定された位置で略直角三角形状に配置されて、起立姿勢の脚部を強固に保持してなることを特徴とする請求項３に記載の折畳式脚部構造。
【請求項５】
脚柱部と横桁軸部とが、異なる材料または異なる形状からなって、Ｌ型継手部によって交換可能に固定されていることを特徴とする請求項１に記載の折畳式脚部構造。
【発明の詳細な説明】
【０００１】
【発明の属する技術分野】
この発明は、脚部の折畳乃至起立を確実且つ安定して行うことができる折畳式脚部構造に関する。
【０００２】
【従来の技術】
天板に枢着した脚部をロック装置を介して折畳乃至起立姿勢に保持する折畳式脚部構造として、従来、種々構造が知られている。
この種のロック装置として、本出願人は、実公昭６１−３２０７号の家具用折りたたみ脚のロック装置を提案しており、相応の成果を挙げている。
即ち、このロック装置は、細長板の両端を折り曲げて前方の受部、後方の受部および通過路を形成し、通過路の後端の深さを支杆頂部の断面径と略等しく形成し、またプレート状の係止板を凸弧状の排除斜縁およびこれに連なる凸弧状の係止急斜縁とを有する形状に形成し、この係止板の下方かつ後方ヘハンドルレバーを一体的に形成し、しかもハンドルレバーの端部を係止板と同方向へ膨出し、さらに通過路外に取付けた回動軸へ係止板の別方を回動自在に設け、またコイルバネにより係止板を常時は通過路の上方まで突出させ、しかもコイルバネにより脚起立時には係止急斜縁を介して支杆頂部を後方の受部側へ押付けるとともにハンドルレバーの膨出した端部を天板側へ押圧し、ハンドルレバーの引下げ時には係止板全体を通過路内より外側へ没し、また支杆頂部をコ字状に形成するとともに細長板の幅と略等しい幅に形成し、鉄板製の取付部を後方の受部へ設けるとともに係止板の上方へ位置させる構成からなっている。
【０００３】
このようなロック装置を用いる場合に、折畳式の脚部の多くは、図１０に示すように、丸パイプ（鋼管、あるいはアルミ管）をＵ字状に曲げ、この丸パイプの脚部３’が折畳み時に軸受となる取付バンド６’を介して回動する構造となっている。
上記取付バンド６’は、図１０（ａ）に示すように、略Ｕ字状に曲げたパイプの脚部３’の内側変曲点Ｈ１の位置で拘束することにより脚部３’を位置決めしていた。
しかし、脚部３’となるパイプの曲率Ｒは比較的大きくなり、直角近似角で曲げられないので、図１０（ｂ）に示したように、変曲点Ｈ１を越えてパイプ脚が左右にずれる虞れがある。
そこで、図１０（ｂ）の右側に示したように、上記変曲点Ｈ１を越えて前記取付バンド６’に脚部３’の湾曲しはじめている個所を配置すればずれる虞れは無くなるが、脚部３’の回動をスムーズに行なうことができない。
その為に、この種の折畳式の脚部を回動可能に軸受する取付バンドには、脚部が左右にずれたりしないように種々の工夫がなされているのが実情である。
【０００４】
【発明が解決しようとする課題】
この発明は上記事情に鑑みて創案されたものであって、その主たる課題は、脚部の軸方向（左右方向）のずれを防止すると共に、折畳乃至起立に際して、脚部がスムーズに回動しうるようにした折畳式脚部構造を提供することにある。
この発明の別の課題は、脚柱部を多様化することができ、また、脚起立時における脚部のガタ付きを防止することができる折畳式脚部構造を提供することにある。
【０００５】
【課題を解決するための手段】
前記課題を達成するために、請求項１の発明では、
天板に枢着した脚部をロック装置を介して折畳乃至起立姿勢に保持する折畳式脚部構造において、
脚部が、回転軸として直線状に延びる横桁軸部と、該横桁軸部の両端に嵌合し固定された一対のＬ型継手部と、該一対のＬ型継手部にそれぞれ嵌合し固定された脚柱部とからなって、略コ字状に形成されており、前記横桁軸部を回転可能に軸受けする脚部取付バンドを、前記横桁の左右に離間して一対に設けると共に、各脚部取付バンドの外側に前記Ｌ型継手部の内側が接するように配置して、脚柱が左右にずれないように位置決めしてなる、という技術的手段を講じている。
また、請求項２の発明では、
前記Ｌ型継手部が、脚柱部の上端を嵌合し固定する脚柱ソケット部と、該脚柱ソケット部と略直交すると共に横桁軸部の端部を嵌合し固定する横桁ソケット部とを有している、という技術的手段を講じている。
請求項３の発明では、
前記横桁ソケット部が、その断面形状を、脚部起立時の横の長さより縦の長さを長く設定すると共に、脚部起立時に横桁ソケット部の上端が天板裏面に衝合しうるように設定されており、脚部が起立された際に、ロック装置による脚部のロックと共に、前記横桁ソケット部が天板裏面に衝合して起立姿勢の脚部を強固に保持してなる、という技術的手段を講じている。
また、請求項４の発明では、
前記ロック装置が、脚柱間に掛け渡されて両端が枢着され、中央部分が天板裏面に固定されたロック装置に掛け止められてその長手方向に沿って摺動可能なステー支杆を有しており、脚部の起立時に横桁の上端と、ステー支杆の中央部分と、その両端の枢着部分とが固定された位置で略直角三角形状に配置されて、起立姿勢の脚部を強固に保持してなる、という技術的手段を講じている。
更に、請求項５の発明では、
前記脚柱部と横桁軸部とが、異なる材料または異なる形状からなって、Ｌ型継手部によって交換可能に固定されている、という技術的手段を講じている。
【０００６】
【発明の実施の形態】
以下に、この発明の折畳式脚部構造をテーブルに適用した好適実施例について図面を参照しながら説明する。
図１に示すテーブル１は、天板２と、その長手方向で対峙する一対の脚部３と、上記天板２裏面に固定されて脚部３を軸支する脚部取付バンド４と、上記脚部３に枢着されたステー支杆５と、該ステー支杆５の先端をスライド可能に拘束するロック装置６とからなっている。
【０００７】
天板２は、図示例の場合、長方形からなっている。
脚部３は、回転軸として直線状に延びる断面円形の杆材またはパイプからなる横桁軸部３ａと、該横桁軸部３ａの両端に嵌合し固定された一対のＬ型継手部３０と、該一対のＬ型継手部３０にそれぞれ嵌合し固定された杆材またはパイプからなる脚柱部３ｂとからなって、略コ字状に形成されている。
【０００８】
Ｌ型継手部３０は、図２に一層明瞭なように、脚柱部３ｂの上端を嵌合し固定する脚柱ソケット部３１と、該脚柱ソケット部３１とエルボー部３４を介して略直交すると共に横桁軸部３ａの端部を嵌合し固定する横桁ソケット部３５とを一体にした構成からなっている。
【０００９】
即ち、脚柱ソケット部３１は、筒形からなっており、その下部で内周壁に、中心に向かって突出する掛止用突起３２を、所定間隔（図示例では略９０°間隔）で複数個（図示例では４個）が一体に突設している。
この掛止用突起３２は、中心に向かって先端が漸次幅狭になる断面テーパー状の側壁を有している
【００１０】
これに対して、脚柱部３ｂの基端側の周壁には、上記掛止用突起３２を嵌合するための溝部３３が、前記掛止用突起３２に対応して図示例では略９０°間隔で４個所凹設されている。
この溝部３３の断面形状は、前記掛止用突起３２を略隙間無く嵌合しうるように断面テーパー状に形成されている。
従って、脚柱部３ｂの基端側を脚柱ソケット部３１に差し込み、前記溝部３３を掛止用突起３２に整合して嵌着して拘束し、その状態で、リベット３８などの固定部材で脚柱ソケット部３１と脚柱部３ｂとを固着する。
【００１１】
次に、横桁ソケット部３５は、その断面形状を、脚部３起立時において、横の長さより縦の長さが長くなるように略小判形状に設定すると共に、脚部３起立時に横桁ソケット部３５の上端（図中下端）が天板２裏面に衝合しうる形状に設定されている。
そして、この横桁ソケット部３５は、内壁部に、横桁軸部３ａを隙間無く嵌合するために、横桁軸部３ａ端部の突き当たり面と、縦方向の一方（図示例では上方）の横桁軸部３ａ周壁の当たり面とからなる断面略Ｌ状の拘束リブ３６を一体に有している。
【００１２】
従って、横桁軸部３ａの両端部側を、それぞれ左右に配置するＬ型継手部３０の横桁ソケット部３５の中空内に差し込むと、前記拘束リブ３６によって上記端部は隙間無く横桁ソケット部３５の中空内に嵌挿されて拘束され、その状態で、リベット３９などの固定部材で横桁ソケット部３５と横桁軸部３ａとを固着する。
これにより、中央に配された横桁軸部３ａと、Ｌ型継手部３０を介して連結された左右一対の脚柱部３ｂとで、略コ字状に形成される脚部３が一体に組み立てられる。
【００１３】
この横桁ソケット部３５は、横桁軸部３ａを内部中空部に嵌合、固定すると共に、上部が脚部の回動にともない、スムーズに天板２裏面と衝合し、あるいは離間するように断面円弧状に形成されていればよいが、下部には別の機能を持たせてもよい。
図９（ａ）には、異なる実施例の横桁ソケット部３５’を示す。
この横桁ソケット部３５’は、その中空部の断面が略正方形となるように、下側が角型となり、天板２裏面と衝合する上側が半円形状に形成されて、断面が倒立した前方後円形状となっている。
そして、拘束リブ３６’は、横桁軸部３ａの周壁と衝合する当たり面を、略同一水平面に設定しているので、横桁軸部３ａは、上下左右の４点で横桁ソケット部３５’に拘束され、リベット３９などの固定部材を貫通させて両者を固着している。
【００１４】
これは、Ｌ型継手部３０の成形精度や横桁軸部３ａの加工精度によっては、組立に際してアローアンスが必要とされる場合があり、横桁ソケット部３５’に平面部３５ａ’があると、脚柱部３ｂを組み立てた場合、両方の脚柱部３ｂの水平方向や垂直方向の取付角度のガイドとすることができ、冶具にセットしやすく、組立歪みを解消することができる。
【００１５】
図９（ｂ）には、上記横桁ソケット部３５’に嵌合する横桁軸部３ａの端部３ａ’が角パイプ形状からなる別の実施例を示す。
この場合、横桁軸３ａは、丸パイプでも角パイプその他の任意の形状でもよいが、少なくとも両端部３ａ’は、上記横桁ソケット部３５’の中空部に略隙間無く嵌合しうるように角パイプ形状からなっている。
これにより、上記横桁軸部３ａの両端部３ａ’は、それぞれ横桁ソケット部３５’の中空部に略隙間無く嵌合させて、一層強固に固着することができる。
その他の構成は、前記実施例と同様であるので、その説明を省略する。
【００１６】
次に、脚部取付バンド４は、天板２の裏面に固定されて横桁軸部３ａを回動可能に支持する軸受であって、前記横桁軸部３ａの左右に離間して一対に設けられる（図１参照）。
この脚部取付バンド４は、図３に示すように、中央に前記横桁軸部３ａを回転可能に支持する円弧形状の受部４１を有する隆起部４０を設け、その前後で延出する一対のブラケット４２、４３を一体に形成しており、該ブラケット４２、４３がネジ止めなどにより天板２に固定されている。
【００１７】
また、上記隆起部４０の下端頂部は天板裏面で最下位置となっており、その頂部にはクッション材４４が一体に突設されており、折畳んだテーブル１を積み重ねる際の緩衝用として用いられる。
各脚部取付バンド４は、図８に明瞭なように、その外側が、それぞれ脚部３の左右のＬ型継手部３０の内側、即ち、横桁ソケット部３５の内端と接するように配置されて、天板２に取り付けられている。
【００１８】
これにより、脚部３は、前記左右のＬ型継手部３０が脚部取付バンド４と衝合するので、左右のＬ型継手部３０がストッパとなり、これによって挟持された横桁軸部３ａは、脚部取付バンド４に対して軸方向にずれたり、ぶれたりしないように位置決めされる。
また、従来のようにパイプを曲げて脚部とするのではなく、直管状の回転軸からなる横桁軸部３ａと脚柱部３ｂとをＬ型継手部３０で連結するので、脚部３のコーナーに大きな湾曲部が形成されることはなく、脚部取付バンド４は、回転軸となる横桁軸部３ａの直管部分のみを軸受けするため、脚部３は折畳乃至起立時にスムーズに回転することができる。
【００１９】
次ぎに、ステー支杆５は、略三角形状に折り曲げられた小径のパイプまたは杆材からなっており、中央に横倒コ字状の頂部５１が形成されている（図４参照）。
このステー支杆５の両端部５２は、脚柱部３ｂにそれぞれ枢着されている（図１参照）。
また頂部５１は、後述のロック装置６の通過路６３を形成する細長板６０の幅と略等しい幅に形成されており、上記通過路６３内に摺動自在にはめ込まれ、脚部３の起立時にロック装置６によってロックされるようになっている。
【００２０】
次に、ロック装置６は、前記公知のロック装置と同様の構成からなっている。即ち、細長板６０の両端を折り曲げて前方の受部６１と、後方の受部６２および通過路６３とを形成している。上記通過路６３の後端の深さをステー支杆５の頂部５１の断面径と略等しく形成している。
また、前記頂部５１は、後方の受部６２内で爪状の係止板６４により拘束されるが、この係止板６４の下方かつ後方ヘハンドルレバー６５が一体的に延びており、その先端は係止板６４と同方向へ膨出する操作部６５ａとなっている。
【００２１】
さらに通過路６３の中途位置には、前記係止板６４を枢着する回動軸６６を設けており、コイルバネ６７により係止板６４をロック位置に付勢して、係止板６４を通過路６３の上方まで突出させている。
しかもコイルバネ６７により脚部の起立時には係止急斜縁を介してステー支杆５の頂部５１を後方の受部６２側へ押付けるとともに、ハンドルレバー６５の操作部６５ａを天板２側へ押圧している。
【００２２】
ハンドルレバー６５の引下げ時には、係止板６４全体を通過路６３内より外へ排除するようにして、ステー支杆５の頂部５１を通過路６３に沿って摺動可能として、脚部の折畳を可能としている。
なお、６８はロック装置６を天板２裏面にネジなどで固定するためのロック受け座板、６９は細長板６０の外側から内側へ貫挿した突起であり、ステー支杆５の頂部５１が、前方の受部６１に摺動する際にこれを乗り越え、受部６１に係止された位置で上記頂部５１の逆行が一定の力以上になるまで防止するものである。
【００２３】
上記構成からなっており、横桁ソケット部３の断面が略小判型であるので、脚部３の起立時には、図５に示すように、偏心カムと同様に機能して、脚部３の起立時にのみ天板２の裏面に衝合し、その衝合点Ｐ１は固定点となる。
また、脚部３の起立時には、脚部３のロックによりステー支杆５の両端部５２の枢着点Ｐ２も固定点となり、ステー支杆５の中央部５１は後方の受部６２内で係止板６４により拘束され、その拘束点Ｐ３も固定点となる。
【００２４】
このＰ１、Ｐ２、Ｐ３は、通常は全て、変位する点（可動点）であるが、脚部３の起立時でロック装置６によりロックされた時には不動点となり、強固な直角三角形構造となり、天板２に対する脚部３のガタ付きを防止することができる。
なお、脚部３が起立姿勢から折畳姿勢に変位すると、前記Ｐ１となる横桁ソケット部３５の上端は天板２裏面から離間し、またＰ２、Ｐ３もぞれぞれ可動点となって変位する（折畳途中を示す図６および折畳姿勢を示す図７を参照）。
【００２５】
また、この発明では、回動軸となる横桁軸部と、脚柱部とが従来の曲げパイプからなる脚部と異なり一体ではないので、異なる形状や意匠のものを使用できる。
素材も、木材、金属、合成樹脂など種々変更することができる。
その場合、Ｌ型継手部との固定に前記実施例ではリベットを用いたが、素材にあわせてネジやボルト等、自由に選択して使用しうる。
更に、Ｌ型継手部３のソケット部の断面は、略楕円形や、少なくとも天板と接する側が円弧形状となるが、脚柱部や横桁軸部の全部または一部を断面角形としてもよい。
また、この発明で脚部の折畳乃至起立時のロック装置は、前記実施例に限定されるものではなく、他の公知のロック装置を用いたものであってもよい。
その他要するにこの発明の要旨を変更しない範囲で種々設計変更しうること勿論である。
【００２６】
【発明の効果】
上記のように構成されたこの発明は次のような優れた効果を有している。
（１）Ｌ型継手部同士の間は、回動軸となる横桁軸部が用いられるので、脚柱部とのコーナー部分は大きく湾曲することがない。従って、脚部取付バンドは、直線状に延びる横桁軸部分を軸受けするので、脚部の折畳乃至起立時にスムーズに回動することができる。
（２）Ｌ型継手部は、脚部取付バンドに接しているので、左右のＬ型継手部相互がストッパとなって、横桁軸部の軸方向の動きを規制し、脚部の左右方向のブレを防止することができる。
（３）回動軸となる横桁軸部と脚柱部とが、従来のパイプを曲げた脚部と異なり一体ではないので、それぞれ異なる形状や素材を使用することができ、脚部に用途に応じた強度などの性能を具備させたり、意匠的効果を高めて多様化を図ることができる。
（４）Ｌ型継手部の横桁ソケット部の断面を略小判型とすることにより、Ｌ型継手部に偏心カムと同様に、脚部起立時のみ天板裏面に衝合させることができる。これにより、上記衝合個所は、脚部起立時にロックされたステー支杆の固定点と共に、強固な三角形構造となり、脚部のガタ付きを防止することができる。
【図面の簡単な説明】
【図１】テーブルを裏面側から見た斜視図である。
【図２】Ｌ型継手部の取付状態を示す分解斜視図である。
【図３】脚部取付バンドの拡大斜視図である。
【図４】ロック装置の拡大斜視図である。
【図５】テーブルの脚部起立時における側面図である。
【図６】脚柱が折畳方向へ回動しはじた途中の段階を示す側面図である。
【図７】脚柱の折畳状態を示す側面図である。
【図８】脚柱の起立時の部分正面図である。
【図９】（ａ）は横桁ソケット部の異なる実施例を示す断面図、（ｂ）は横桁軸部の別の実施例を示す断面図である。
【図１０】従来の脚柱と取付バンドの位置を示す模式図であって（ａ）は正常な取付位置にある場合、（ｂ）は変曲点が一方へずれた場合を示す平面図である。
【符号の説明】
１　　　テーブル
２　　　天板
３　　　脚部
３ａ　　横桁軸部
３ｂ　　脚柱部
４　　　脚部取付バンド
５　　　ステー支杆
６　　　ロック装置
３０　　　Ｌ型継手部
３１　　　脚柱ソケット部
３５　　　横桁ソケット部
４０　　　隆起部
【図１】
2004073326.tif 000003
【図２】
2004073326.tif 000004
【図３】
2004073326.tif 000005
【図４】
2004073326.tif 000006
【図５】
2004073326.tif 000007
【図６】
2004073326.tif 000008
【図７】
2004073326.tif 000009
【図８】
2004073326.tif 000010
【図９】
2004073326.tif 000011
【図１０】
2004073326.tif 000012